(57)【要約】【課題】コンドームの内側に化合物を保持するコンドームを収容する包装の提供。【解決手段】隔壁は、外側シール壁の完全性を損なうことなく、液体又はゲルをコンドームの片側に適用するための外部操作により破ることができる。包装は、底部に変形可能部分（５）を有し、溝で囲むことができる成型トレイ（１）を含むことができる。変形可能部分（５）は、展開された構成にパチンと変形して液体又はゲルをコンドーム上に放出する。代替的に、包装は、フィン状シール（３３、３４）に保持された液体又はゲルを有する折りたたまれた箔包装でもよい。【選択図】図１Ｃ
2015500077.tif 000002
【特許請求の範囲】
【請求項１】
コンドームと、隔壁により前記コンドームから隔離された液体又はゲルとを収容する外側シール壁を有する包装であって、前記隔壁は、前記外側シール壁の完全性を損なうことなく、前記液体又はゲルを前記コンドームの片側に適用するための外部操作により破ることができ、前記外側シール壁は、箔の蓋でシールされた成型トレイにより設けられ、変形可能部分が前記トレイの中央部分により設けられ、前記変形可能部分は、第１の非変形形態から、前記隔壁を通して前記液体又はゲルを放出した第２の形態に変形可能である、包装。
【請求項２】
前記中央の変形可能部分を囲む環状溝をさらに含む、請求項１に記載の包装。
【請求項３】
前記変形可能部分は、前記溝の前記下部面よりは下向きに突出しない、請求項２に記載の包装。
【請求項４】
前記変形可能部分は、ひとたび一定量より多く変形すると、前記第２の形態へ付勢されるように配置される、請求項１〜請求項３のいずれかに記載の包装。
【請求項５】
前記変形可能部分は、前記隔壁を破ることを容易にするための突起を有する、請求項１〜請求項４のいずれかに記載の包装。
【請求項６】
コンドームと、隔壁により前記コンドームから隔離された液体又はゲルとを収容する外側シール壁を有する包装であって、前記隔壁は、前記外側シール壁の完全性を損なうことなく、前記液体又はゲルを前記コンドームの片側に適用するための外部操作により破ることができ、前記外側シール壁は、箔の蓋でシールされた成型トレイにより設けられ、変形可能部分が前記トレイの部分により設けられ、前記変形可能部分は、第１の非変形形態から、前記隔壁を通して前記液体又はゲルを放出した第２の形態に変形可能であり、かつ、ひとたび一定量より多く変形すると、前記第２の形態へ付勢されるように配置される、包装。
【請求項７】
前記変形可能部分は、前記隔壁を破ることを容易にするための突起を有する、請求項１〜請求項６のいずれかに記載の包装。
【請求項８】
コンドームと、隔壁により前記コンドームから隔離された液体又はゲルとを収容する外側シール壁を有する包装であって、前記隔壁は、前記外側シール壁の完全性を損なうことなく、前記液体又はゲルを前記コンドームの片側に適用するための外部操作により破ることができ、前記外側シール壁は、外周部がシールされた２つの箔層を含み、前記液体又はゲルは、前記箔層のうちの一つの隆起部に入り、前記隆起部は、前記包装の中央からオフセットされる、包装。
【請求項９】
前記２つの箔層は、互いに直接シールされる、請求項８に記載の包装。
【請求項１０】
３つの層、すなわち前記２つの箔層と前記隔壁のみを含む、請求項８〜請求項９のいずれかに記載の包装。
【請求項１１】
前記隔壁は、前記隆起部よりもさらに前記包装の前記中央に近くにある脆弱線を有する、請求項８〜請求項１０のいずれかに記載の包装。
【請求項１２】
コンドームと、隔壁により前記コンドームから隔離された液体又はゲルとを収容する外側シール壁を有する包装であって、前記隔壁は、前記外側シール壁の完全性を損なうことなく、前記液体又はゲルを前記コンドームの片側に適用するための外部操作により破ることができ、前記包装は、前記包装を横切って延びるフィン状シールを含むように、折りたたまれた又はシールされた箔から形成され、前記フィン状シールは、前記液体又はゲルを収容する部分を有し、前記隔壁は前記フィン状シールを操作することにより破ることができる、包装。
【請求項１３】
前記外側シール壁は、下部壁と、それぞれ前記下部壁の対向する縁部に接続された２つの上部壁部分とから形成され、前記下部壁と前記上部壁部分は、前記包装の前記長さに沿って延びる剥離可能長手方向シールにより互いにシールされ、前記上部壁部分の前記自由端部は、前記長手方向シール間に横方向に延びる前記フィン状シールにより互いにシールされ、前記包装は、前記横方向シールで前記第１及び第２の上部壁部分を剥離して離すことにより開封可能であり、前記フィン状シールは、前記液体又はゲルを収容する部分を有する、請求項１２に記載の包装。
【請求項１４】
前記液体又はゲルは、トリニトログリセリンを含む化合物である、請求項１〜請求項１３のいずれかに記載の包装。
【請求項１５】
前記液体又はゲルは、潤滑剤、殺精子剤及び／又は芳香剤を含む化合物である、請求項１〜請求項１２のいずれかに記載の包装。
【発明の詳細な説明】
【技術分野】
【０００１】
本発明は、コンドームを収容する包装に関する。
【背景技術】
【０００２】
当該技術分野において、コンドームに勃起促進つまり血管拡張化合物を組み込むことが知られている。その際、これら化合物のいくつかは、女性に対して望ましくない副作用があることに注意する必要がある。結果として、保管及び輸送の間、コンドームの内側表面に化合物を保持する試みが数多くなされてきた。
【０００３】
特許文献１は、被膜つきマンドレルを用いて、コンドームの内側表面に噴霧、刷毛塗り、又は適用する化合物を開示する。化合物の層がコンドームの外側表面に拡散するのを防止する試みにおいて、化合物の層は、被膜を有し、陰茎とコンドームとの間の摩擦によって被膜の表面張力を破る。また特許文献１は、従来のようにコンドームを巻き取って包装するよりも、むしろ「アコーディオン様式」で折りたたむことを示唆するが、非常に現実性がないように思われる。
【０００４】
特許文献２は、両面に接着剤を有し、初めにコンドーム壁に付着し、その後外部圧力が印加されると、陰茎に付着するパッチの可能性を開示する。これは、製造が難しく、使いづらい。
【０００５】
特許文献３は、上述のような被膜及びパッチを開示し、また化合物を収容し、破壊可能内膜により化合物の残りから分離される、コンドーム先端部の区画の可能性を開示する。かかる内膜を、非常に薄い可撓性ラテックス状材料に形成し、その結果生じた空洞に化合物を充填するのは、実際には実現が困難である。
【０００６】
特許文献４は、例えば濃縮剤を用いて、化合物を不動化する可能性を開示する。
上述の先行技術文献において行われた一つの手法は、コンドーム自体の改良であるが、これは製造を複雑にさせ、ユーザにとっては使いづらく不快である。代替的に、本文献は、化合物自体の物理的特性を改良する。しかし、それでもなお、保管中の望まれない拡散を防止するのは困難である。また、化合物が動かないように改良された様式により、最も効率的様式で配送する能力が損なわれるため、配送が困難になる場合がある。いずれの場合も、化合物がコンドームの「誤った」側に到達する可能性が存在する。このことは、製品の在庫期間を、潜在的に受容不能となる水準まで短くすることになる。
【０００７】
この問題を解決する一つの試みが、特許文献５に開示される。特許文献５は、潤滑剤及び／又は殺精子剤を充填した小袋を収容するコンドーム包装を開示する。この小袋は、コンドーム包装を開けると開くように配置される。しかし、これは、同時に包装と小袋を開ける機構を形成する際の設計に困難を生じさせる。例えば、第１の事例は、トレイを開けるためにトレイの中に押し込まれる蓋を有するトレイを開示する。これをうまく作用させるためには、トレイと蓋との間のシールが非常に弱い必要があり、そのため偶発的に剥がれやすくなってしまう。さらに、この機構は、正しく操作しないと、包装を開けると化合物がコンドーム上に分注されずに、むしろ包装の外に押し出されてしまうので、汚れてしまう可能性がある。
【０００８】
類似の配置が特許文献６に開示されている。この特許文献６も、例えば、化合物を解放するため所定の場所にねじ込まれるねじ溝を介して包装に接続される区画を有するものなど、包装の他の事例を開示する。別の事例は、一方がコンドームを収容し、他方が化合物を収容する２部分からなるトレイを有する。両方のトレイを開き、包装を一緒に折りたたんで、化合物をコンドームと接触するように配置する。
この特許文献６は、化合物が外側包装における隆起部において膜で保持され、コンドームと化合物を分離する破断可能膜を有する事例も開示する。隆起の外壁に対する圧力により膜が破断し、化合物をコンドーム上に分注させる。この包装は、２つの層間に硬質リングを必要とし、そのため、設計がさらに複雑になってしまう。化合物が包装の隆起部に保持されるので、特にコンドームを財布やポケットなど偶発的に圧縮されてしまう尤度が合理的に高いところに入れて運ぶ場合、化合物が偶発的に解放されやすい。
【先行技術文献】
【特許文献】
【０００９】
【特許文献１】米国特許第４，８２９，９９１号明細書
【特許文献２】米国特許第５，３３３，６２１号明細書
【特許文献３】米国特許第６，０８０，１００号明細書
【特許文献４】国際公開第０２／０７８５８０号明細書
【特許文献５】国際公開第９５／０２３７９号明細書
【特許文献６】独国特許第１０  ２００７  ０３９８３７号明細書
【特許文献７】国際公開第９９／３８５０６号
【特許文献８】国際公開第０３／０８８８８０号
【発明の概要】
【００１０】
本発明の第１の観点によると、コンドームと、隔壁によりコンドームから隔離された液体又はゲルとを収容する外側シール壁を有する包装であって、隔壁は、外側シール壁の完全性を損なうことなく、液体又はゲルをコンドームの片側に適用するための外部操作により破ることができ、外側シール壁は、箔の蓋でシールされた成型トレイにより設けられ、変形可能部分がトレイの中央部分により設けられ、変形可能部分は、第１の非変形形態から、隔壁を通して液体又はゲルを放出した第２の形態に変形可能である、包装が提供される。
【００１１】
外側シール壁の完全性を損なうことなく隔壁を破ることができるので、隔壁を破るための機構及び開封機構は互いに分離して保持され、それぞれの機能を最適化することができる。さらに、液体又はゲルは、隔壁がまだシールをしている間に分注されるため、分注に伴って起こるいずれの問題によっても、液体又はゲルは包装の外に飛び出さない。
【００１２】
成型トレイに、箔よりもむしろ変形可能部分を設けることにより、本発明は、液体又はゲルの偶発的分注に対して従来技術より丈夫である。
これは、中央変形可能部分を囲む環状溝により、さらに強化される。この溝は、保護の程度をさらに高め、またコンドームの巻かれた壁面に対して便利な位置をもたらす。変形可能部分は、溝を超えて下向きに短く突出するが、変形部分は溝の下面より下向きに突出しないことが好ましい。これは、平坦な表面に押し付けられた場合、変形可能部分は環状溝によりある程度保護されることを意味する。
【００１３】
変形可能部分は、ひとたび一定量より多く変形したら、第２の形態へ付勢されるように配置されることが好ましい。このことは多くの優位性を有する。変形可能部分は、本質的に、付勢力により第２の形態に「パチン」と動く。この積極的動きは、ユーザに明確な感覚を与え、変形可能部分が、完全に押されたことを示す。また、これは、隔壁からできるだけたくさん液体又はゲルを確実に分注する役割も果たす。ユーザ自らが包装からの支援無しに液体又はゲルを押し出さなければならない箔とは対照的である。
【００１４】
最も広い意味で定義される本発明の第２の観点は以下の通りである。コンドームと、隔壁によりコンドームから隔離された液体又はゲルとを収容する外側シール壁を有する包装であって、隔壁は、外側シール壁の完全性を損なうことなく、液体又はゲルをコンドームの片側に適用するための外部操作により破ることができ、外側シール壁は、箔の蓋でシールされた成型トレイにより設けられ、変形可能部分がトレイの部分により設けられ、変形可能部分は、第１の非変形形態から、隔壁を通して液体又はゲルを放出した第２の形態に変形可能であり、かつひとたび一定量より多く変形すると、第２の形態へ付勢されるように配置される、包装が提供される。
これは、上述の優位性を有する。
変形可能部分の包装は、変形されると隔壁を破るのを容易にする突起を有することが好ましい。
【００１５】
本発明の第３の観点によると、コンドームと、隔壁によりコンドームから隔離された液体又はゲルとを収容する外側シール壁を有する包装であって、隔壁は、外側シール壁の完全性を損なうことなく、液体又はゲルをコンドームの片側に適用するための外部操作により破ることができ、外側シール壁は、外周部がシールされた２つの箔層を含み、液体又はゲルは、箔層のうちの一つの隆起部に入り、隆起部は、包装の中央からオフセットされる、包装が提供される。
【００１６】
液体又はゲルを収容する隆起部を包装の中央からオフセットすることで、隆起部は、コンドームの巻かれた壁の上又は近くの位置に来る。このことは、ユーザが隆起部を押して液体又はゲルを分注する際に、包装に対して良好な支持を与える。隆起部が中央にあると、隆起部がコンドームの端部の上のみにあるため、良好には支持されない。そのため、ユーザが隔壁を通して液体又はゲルを押し出すのを困難にさせる。この問題は、特許文献６において検討され、この特許文献６は、十分な剛性を与えるために、包装の周りに支持リング１１を用いる。従って、上述の配置は、かかるリングを必要としないので、包装を単純化する。代わりに、２つの箔層を互いに直接シールし、或いは隔壁をかかるシールの間に配置してもよい。
隔壁は、隆起部の中央よりもさらに包装の中央の近くにある脆弱線を有することが好ましい。これは、隆起部は中央部からオフセットされているものの、分注点は、より中央に近づけられ、液体又はゲルをコンドームの中央領域に分注できることを意味する。
【００１７】
本発明の第４の観点によると、コンドームと、隔壁によりコンドームから隔離された液体又はゲルとを収容する外側シール壁を有する包装であって、隔壁は、外側シール壁の完全性を損なうことなく、液体又はゲルをコンドームの片側に適用するための外部操作により破ることができ、包装は、包装を横切って延びるフィン状シールを含むように、折りたたまれた又はシールされた箔から形成され、フィン状シールは、液体又はゲルを収容する部分を有し、隔壁はフィン状シールを操作することにより破ることができる、包装が提供される。
【００１８】
液体又はゲルをフィン状シールに配置し、かつ隔壁を破るのに操作を必要とすることは、偶発的分注に対して合理的程度の保護を与える。フィン状シールは、包装の側に対してほぼ平坦に折りたたまれる。従って、ユーザは、隔壁を破るためにフィン状シールを持ち上げて、分注器の液体又はゲルを収容する部分に圧力を印加する必要がある。この２段階操作は、偶発的に実行される可能性は低い。
【００１９】
液体又はゲルは、トリニトログリセリンを含む化合物又は潤滑剤、殺精子剤及び／又は芳香剤を含む化合物であることが望ましい。
【００２０】
以下に、本発明に従って製造された包装の例を、添付する図面を参照しながら説明する。
【図面の簡単な説明】
【００２１】
【図１Ａ】本発明の第１及び第２の観点による包装を上から見た透視図である。
【図１Ｂ】第１の包装を下から見た透視図である。
【図１Ｃ】使用前の第１の包装の断面図である。
【図１Ｄ】隔壁が破られた後の図１Ｃと類似した図である。
【図１Ｅ】隔壁が破られた後の図１Ｂと類似した図である。
【図１Ｆ】蓋が剥がされた後の図１Ｃ及び図１Ｄと類似した図である。
【図１Ｇ】蓋が剥がされたところを示す図１Ａと類似した図である。
【図１Ｈ】コンドームの取り出しを示す図１Ｇと類似した図である。
【図２Ａ】本発明の第４の観点による包装の透視図である。
【図２Ｂ】第２の包装を通した断面図である。
【図２Ｃ】初期の開封ステップを示す図２Ａと類似した図である。
【図２Ｄ】開封の後の段階における図２Ｃと類似した図である。
【図２Ｅ】図２Ｄと同一構成の包装の図２Ｂと類似した断面図である。
【図２Ｆ】液体又はゲルのコンドームへの適用を示す透視図である。
【図２Ｇ】図２Ｆと同一の形態の包装を通る断面図である。
【図２Ｈ】包装の初期の開封を示す透視図である。
【図２Ｉ】部分的に開封された包装を示す断面図である。
【図２Ｊ】完全に開封された包装を示す透視図である。
【図２Ｋ】コンドームの取り出しを示す透視図である。
【図３Ａ】本発明の第３の観点による包装の概略的断面図である。
【図３Ｂ】図４Ａの膜の平面図である。
【発明を実施するための形態】
【００２２】
本発明は、コンドームを収容する包装のためのものである。コンドームは女性用コンドームであってもよい。コンドームは、天然ゴムラテックス、ポリウレタンなど、任意の好適な材料から作製できる。
【００２３】
包装は液体又はゲルを収容する。液体又はゲルは、第一に勃起促進又は血管拡張化合物であることが意図される。しかし、代替的に又は追加的に、潤滑剤、殺精子剤、芳香剤又は他の型式の配合物でもよい。好ましい勃起促進化合物は、トリニトログリセリン（ＧＴＮ）を含有する化合物である。これは特許文献７に開示されていて、化合物のさらなる詳細について参照する。
【００２４】
包装は、第一に、化合物をコンドームの内側表面上に分注することを意図したものである。しかし、同じように、単純にコンドームを包装内で反転させ、（例えば、特許文献８に開示されるような）血管拡張剤又はＤｕｒｅｘ（登録商標）Ｐｌａｙ  Ｏ（登録商標）ゲル等の化合物を、反対側に分注することができる。また、第１の化合物を片側に、第２の化合物を反対側に分注することも、本発明の範囲内である。
【００２５】
包装の第１の例を、図１Ａ乃至図１Ｈに示す。包装は、Ｄｕｒｅｘ（登録商標）Ｄｅｌｕｘｅ包装に基づく。本質的に、包装は、箔３がシールされた上側リップ部２を有する成型トレイ１からなる。トレイ１は、外周に環状溝４をもつ円形形状を有する。これは、平坦な底部を有するＤｕｒｅｘ（登録商標）Ｄｅｌｕｘｅ包装とは異なる。環状溝４の内部は、中央に随意の上向き突起６をもつ陥凹部５である。中央領域に脆弱部分８を有する隔壁７が陥凹部５の上部を横切ってシールする。隔壁は、箔又は他の薄く容易に裂けるラミネートであってもよい。脆弱部分は、領域の材料を局所的に薄くすることにより又はレーザアブレーション等により形成された刻み線により設けることができる。陥凹部５及び隔壁７により定められるチャンバは、液体又はゲル化合物９が充填される。コンドーム１０は、隔壁７の反対側のトレイ１にあり、外側表面が最上部にある。コンドーム１０の巻かれた壁部分１１は、溝４に収容される。図１Ｃにみられるように、溝４の下部壁は、陥凹部５の下部壁の下にあり、輸送及び保管の際の化合物の偶発的分注に対して、いくらかの保護を与える。
【００２６】
包装を使用するためには、ユーザは陥凹部５を押して、突起６が膜７の脆弱部分８を貫通させる（図１Ｄ及び図１Ｅ）。ひとたび突起がある点に到達すると、材料の弾性により、陥凹部を完全に陥凹した位置へ付勢される傾向がある。ユーザは、この効果を「パチン」と感じ、可聴のクリック音を聞くこともできる。これにより、できるだけ多くの液体又はゲルを確実に放出し、ユーザに対して分注動作を正しく完了したことの積極的表示を与える。また、分注が行われたことの明確な視覚的表示も与える。代替的に、圧力の増大のみを用いて膜を破ることもできる。陥凹部５の動きは、化合物をコンドームの下部表面に押し付ける。突起６は、化合物の最大可能量をコンドームに移行させることを支援する。次いで、蓋を剥がし（図１Ｆ及び図１Ｇ）、内部表面に化合物がついたコンドームを取り出し、通常の方法で使用することができる。従来のコンドーム包装とは異なり、トレイは、容易に廃棄するため、使用後のコンドームを収容できる。
【００２７】
包装の別の例を、図２Ａ乃至図２Ｋに示す。包装は、図２Ｊに最も良く示されるように、単一シートから形成して示される。また、折り線が図に示されるように、一緒にシールされた３枚の別個のシートから形成することもできる。シート２０は、両側が折り線２２を介してそれぞれの上部壁部分２３、２４に接続された下部壁２１を含む。剥離可能接着剤２５の２つのストリップが、下部壁２１及び上部壁部分２３、２４の長手方向縁部に沿って設けられ、それにより、下部壁２１は、上部壁部分２３、２４に対してシールされる。代替的に、これは剥離可能溶接でもよい。
【００２８】
折り線２２の反対の端部で、上部壁部分２３、２４は、第２の折り線２６を介して、それぞれ、第１のシーム部分２７及び第２のシーム部分２８と接続される。シーム部分２７、２８は、剥離可能接着剤２９で被覆されるが、これは、接着剤２５又は剥離可能溶接と同じである。しかし、各シーム部分２７、２８の中央領域３０は、接着剤を欠いて、全ての側がシールされ、使用時は、液体又はゲル化合物３２で充填される、化合物チャンバ３１を与える。第２の折り線２６の反対の端部において、各シーム部分２７、２８には、以下に説明するように、ユーザが開封する際に持つことができるタブ３３、３４が設けられる。
【００２９】
下部壁２０及び第２の側壁部分２３、２４は、コンドーム３５を収容するチャンバを定める。化合物チャンバ３１は、脆弱性シール３６によりコンドーム３５から分離される。
【００３０】
最初にユーザに提供する際、シーム部分２７、２８は折りたたまれ、図２Ｂに示すように、下にある上部壁部分２４に対して平たくなる。これは、輸送及び保管の際のシールの完全性を保全する役に立つ。
【００３１】
包装を使用するためには、ユーザは、初めに、タブ３３、３４をつかむことにより、シーム部分２７、２８を持ち上げ（図２Ｃ参照）、シーム部分２７、２８を直立位置まで持ち上げる（図２Ｄ及び図２Ｅ）。これのみで、シール３６を破るのに十分である、又はシーム部分を前後に何回か揺らす必要がある場合がある。次いで、ユーザは、化合物チャンバ３１を絞り（図２Ｆ及び図２Ｇ）、今や開封されたシール３６を通してコンドーム３５の内側表面へ化合物を押し出す。代替的に、シール３６は、直立位置に動かすことにより、弱くされ、チャンバ３２を絞ると完全に開封する、又はシーム部分が平らなままでチャンバ３１を絞ることにより開封することができる。
【００３２】
上記を行った後、次いでユーザは、コンドームを取り出す前に、タブ３３、３４をつかみ（図２Ｈ）、包装を剥がして開くことにより（図２Ｉ及び図２Ｊ）、今や化合物で満たされた包装を開け、通常の方法で使用することができる。広げた包装は、使用後廃棄するために、コンドームを再包装するのにより用いやすいという優位性を有する。
【００３３】
さらに別の例を図３Ａ及び図３Ｂに示す。
この例は、伝統的２層箔コンドーム包装に基づく。第１の層４０及び第２の層４１は、従来の様式で、外周縁部を互いに熱シールされる（図３Ａは、明確さのためにコンポーネントを分離して示す概略図であるため、縁部はシールして示されない）。第１の層４０は、冷間成形により形成された、化合物４３を収容する、隆起部４２を有する。図３Ｂに示すように、隆起部４２により定められるチャンバの反対側表面は、最初に、少なくとも１つの脆弱線４５（第１の例で説明したように形成される）が設けられた（例えばＡＭＶＣ（ＰＥＴ／ＡＩ／ＰＥ）の）膜４４と熱シールされる。
【００３４】
隆起部４２は、包装の一方の側にオフセットされ、隔壁４４の脆弱線５０は、隆起部４２の中心に対してオフセットされ、適度に包装の中央にあるようにされる。
【００３５】
化合物４３をコンドーム４６上に分注するために、ユーザは隆起部４２を押して隔壁４４を脆弱線４５で開き、化合物４３をコンドーム４６上に押し出す。次いで、包装は、従来のコンドーム包装の様式で、破いて開けられる。
【００３６】
本構成の利点は、ユーザが、コンドーム４６の巻かれた部分を、矢印５１の方向に圧力を印加するために利用できる、親指に対する支持及ピボットとして効果的に用いて、より便利な分注操作を提供することである。
【符号の説明】
【００３７】
１：成型トレイ
２：上側リップ部
３：箔
４：環状溝
５：陥凹部
６：上向き突起
７：隔壁
８：脆弱部分
９：液体又はゲル化合物
１０：コンドーム
１１：巻かれた壁部分
２０：シート
２１：下部壁
２２：折り線
２３、２４：上部壁部分
２５：剥離可能接着剤
２６：第２の折り線
２７：第１のシーム部分
２８：第２のシーム部分
３０：中央領域
３１：化合物チャンバ
３２：チャンバ
３２：液体又はゲル化合物
３３、３４：タブ
３５：コンドーム
３６：脆弱性シール
４０：第１の層
４１：第２の層
４２：隆起部
４３：化合物
４４：隔壁
４４：膜
４６：コンドーム
５０：脆弱線
【図１Ａ】
2015500077.tif 000003
【図１Ｂ】
2015500077.tif 000004
【図１Ｃ】
2015500077.tif 000005
【図１Ｄ】
2015500077.tif 000006
【図１Ｅ】
2015500077.tif 000007
【図１Ｆ】
2015500077.tif 000008
【図１Ｇ】
2015500077.tif 000009
【図１Ｈ】
2015500077.tif 000010
【図２Ａ】
2015500077.tif 000011
【図２Ｂ】
2015500077.tif 000012
【図２Ｃ】
2015500077.tif 000013
【図２Ｄ】
2015500077.tif 000014
【図２Ｅ】
2015500077.tif 000015
【図２Ｆ】
2015500077.tif 000016
【図２Ｇ】
2015500077.tif 000017
【図２Ｈ】
2015500077.tif 000018
【図２Ｉ】
2015500077.tif 000019
【図２Ｊ】
2015500077.tif 000020
【図２Ｋ】
2015500077.tif 000021
【図３Ａ】
2015500077.tif 000022
【図３Ｂ】
2015500077.tif 000023
【国際調査報告】
2015500077.tif 000024
2015500077.tif 000025
2015500077.tif 000026